(57)【要約】      （修正有）【課題】設計対象の建物の各室の要求性能を満たす壁を自動的に生成することができる設計支援装置を提供する。【解決手段】設計支援装置１００の情報取得部２６は、受付部１０から設計対象の建物の室の要件を表す基本要件情報を取得し、基本情報記憶部２２へ格納し、設計対象の建物の形状を表す基本オブジェクトをオブジェクト記憶部２４へ格納する。また、壁生成部２８は、情報取得部２６によって取得された、これらの基本要件情報に基づいて、設計対象の建物内の壁の各々を生成する。【選択図】図１
2020004278.tif 000002
【特許請求の範囲】
【請求項１】
設計対象の建物の室の要件を表す基本要件情報を取得する情報取得部と、
前記情報取得部によって取得された前記基本要件情報に基づいて、前記設計対象の建物内の壁の各々を生成する壁生成部と、
を含む設計支援装置。
【請求項２】
前記壁生成部は、前記基本要件情報のうちの、防火区画に関する情報、各室の遮音に関する情報、各室の水使用に関する情報、吹抜に面する室に関する情報、トイレ内の間仕切り壁に関する情報、各室の放射線遮蔽に関する情報、各室の電磁波遮蔽に関する情報、及び各室の可動間仕切りに関する情報の少なくとも１つに基づいて、前記壁を生成する、
請求項１に記載の設計支援装置。
【請求項３】
前記基本要件情報は、外壁の種別を含み、
前記壁生成部は、前記壁を生成する際に、生成対象の前記壁が外壁の裏側に位置する壁である場合には、前記外壁の種別に応じて前記壁を生成する、
請求項１又は請求項２に記載の設計支援装置。
【請求項４】
前記基本要件情報は、防火区画に関する情報を含み、
前記壁生成部は、前記壁を生成する際に、生成対象の前記壁が防火区画に対応する場合には、建物内の任意の室の床面から前記任意の室の上階のスラブ下又は梁下までの前記壁を生成する、
請求項１〜請求項３の何れか１項に記載の設計支援装置。
【請求項５】
前記情報取得部は、前記設計対象の建物を表す複数の異なるＢＩＭ（Building Information Modeling）モデルに格納された各情報を更に取得し、
前記壁生成部は、前記壁を生成する際に、複数の異なる前記ＢＩＭモデルから取得された各情報と前記基本要件情報とに基づいて、前記壁を生成する、
請求項１〜請求項４の何れか１項に記載の設計支援装置。
【発明の詳細な説明】
【技術分野】
【０００１】
本発明は、設計支援装置に関する。
【背景技術】
【０００２】
従来、建物を構成する部品の集合体の仮想３次元モデルを用いた集計システムが知られている（例えば、特許文献１）。また、建物を構成する各部品の集合体の仮想３次元モデルを用いた処理システムが知られている（例えば、特許文献２）。
【先行技術文献】
【特許文献】
【０００３】
【特許文献１】特開2016-115040号公報
【特許文献２】特開2017-224014号公報
【発明の概要】
【発明が解決しようとする課題】
【０００４】
設計者が建物内部の壁を設計する際、壁に関する条件を考慮する必要がある。例えば、設計者は、建物の防火区画及び各室の遮音性能等を考慮して、壁を設計する必要がある。この場合、防火区画を考慮する際には、設計対象の建物に設定された防火区画に応じて室の壁が設計される。また、遮音性能を考慮する際には、隣接する室において発生する音の大きさに応じて室の壁が設計される。
【０００５】
このため、設計者が壁を設計する際には、性質の異なる複数の条件を考慮する必要があり、設計対象の建物内の室が増えるほど（又は、室の種類が増えるほど）、設計作業に時間がかかる、という課題がある。
【０００６】
しかし、上記特許文献１〜上記特許文献２に記載の技術では、建物内の壁の設計については開示されていない。
【０００７】
本発明は上記事実を考慮して、設計対象の建物の各室の要求性能を満たす壁を自動的に生成することを目的とする。
【課題を解決するための手段】
【０００８】
上記目的を達成するために、本発明の設計支援装置は、設計対象の建物の室の要件を表す基本要件情報を取得する情報取得部と、前記情報取得部によって取得された前記基本要件情報に基づいて、前記設計対象の建物内の壁の各々を生成する壁生成部と、を含む。これにより、設計対象の建物の各室の要求性能を満たす壁を自動的に生成することができる。
【０００９】
本発明の前記壁生成部は、前記基本要件情報のうちの、防火区画に関する情報、各室の遮音に関する情報、各室の水使用に関する情報、吹抜に面する室に関する情報、トイレ内の間仕切り壁に関する情報、各室の放射線遮蔽に関する情報、各室の電磁波遮蔽に関する情報、及び各室の可動間仕切りに関する情報の少なくとも１つに基づいて、前記壁を生成するようにしてもよい。これにより、設計対象の建物内の各室の要求性能を考慮して壁を自動的に生成することができる。
【００１０】
本発明の前記基本要件情報は、外壁の種別を含み、前記壁生成部は、前記壁を生成する際に、生成対象の前記壁が外壁の裏側に位置する壁である場合には、前記外壁の種別に応じて前記壁を生成するようにしてもよい。これにより、外壁の種別を考慮して壁を適切に生成することができる。
【００１１】
本発明の前記基本要件情報は、防火区画に関する情報を含み、前記壁生成部は、前記壁を生成する際に、生成対象の前記壁が防火区画に対応する場合には、建物内の任意の室の床面から前記任意の室の上階のスラブ下又は梁下までの前記壁を生成するようにしてもよい。これにより、防火区画を考慮して壁を適切に生成することができる。
【００１２】
また、本発明の前記情報取得部は、前記設計対象の建物を表す複数の異なるＢＩＭ（Building Information Modeling）モデルに格納された各情報を更に取得し、前記壁生成部は、前記壁を生成する際に、複数の異なる前記ＢＩＭモデルから取得された各情報と前記基本要件情報とに基づいて、前記壁を生成するようにしてもよい。これにより、複数の異なるＢＩＭモデルに格納された各種情報を考慮して壁を適切に生成することができる。
【発明の効果】
【００１３】
本発明によれば、設計対象の建物の各室の要求性能を満たす壁を自動的に生成することができる、という効果が得られる。
【図面の簡単な説明】
【００１４】
【図１】本実施形態に係る設計支援装置の構成の一例を示すブロック図である。
【図２】本実施形態の室要件テーブルと基本オブジェクトとを説明するための説明図である。
【図３】本実施形態の室要件テーブルの一例を示す図である。
【図４】各室の壁の生成処理を説明するための説明図である。
【図５】各室の壁の生成処理を説明するための説明図である。
【図６】各室の壁の生成処理を説明するための説明図である。
【図７】本実施形態に係る設計支援処理ルーチンの一例を示す図である。
【発明を実施するための形態】
【００１５】
以下、図面を参照して、本発明の実施形態について詳細に説明する。
【００１６】
＜第１実施形態に係る設計支援装置の構成＞
【００１７】
図１に、本発明の実施形態に係る設計支援装置１００の構成の一例を示す。本実施形態の設計支援装置１００は、機能的には、図１に示されるように、受付部１０、コンピュータ２０、及び表示部３０を含んだ構成で表すことができる。本実施形態の設計支援装置１００は、建築設計者によって行われる壁設計を支援する。
【００１８】
建物内部の壁を設計する際には、所定の条件を満たした壁を設計する必要がある。しかし、壁設計の際に考慮すべき条件の数は膨大である。
【００１９】
例えば、ＬＧＳ（Light Gauge Steel）によって構成される壁（以下、単に「ＬＧＳ壁」と称する。）を例に説明する。ＬＧＳ壁の壁下地の骨組みのサイズに関する仕様は、そのＬＧＳ壁の高さによって決定される。また、そのＬＧＳ壁の高さを決定するためには、防火区画及び室間の遮音性能等を考慮する必要がある。更に、地下の外壁に接する箇所においては、ＬＧＳ壁の骨組みの素材は、鋼製ではなくステンレス製（ＳＵＳ製）を用いる等の考慮をする必要がある。
【００２０】
このように、壁設計の際に考慮すべき条件は複雑かつ膨大であるが、従来では、建築設計者が一つ一つの壁の仕様の決定を行っている。
【００２１】
一方、建築設計の分野では、ＢＩＭ(Building Information Modeling)の活用が進んでいる。ＢＩＭを用いる場合、建築設計者は、設計対象の建物の３次元モデルを表すＢＩＭモデルを作成し、建築設計を行う。
【００２２】
建築設計者は、ＢＩＭを活用する際、設計対象の建物を表すＢＩＭモデルのうちの各オブジェクトに対し、各オブジェクトの仕様を表す属性情報を付与する。これにより、例えば、壁のオブジェクトの仕様が決定される。しかし、この方法は、建築設計者によって壁の仕様が決定されるため、従来手法と変わらない。
【００２３】
そこで、本実施形態の設計支援装置１００は、建物内の各室の要求性能を表す室要件テーブルを用いて、建物内の壁を自動的に生成する。
【００２４】
本実施形態では、建物の形状を表すオブジェクトとその仕様を表す属性情報とによって表されていたＢＩＭモデルから、各室の要求性能に関する情報を室要件テーブルとして抽出し、この室要件テーブルを用いて壁を自動的に生成する。本実施形態の室要件テーブルは、設計対象の建物の室の要件を表す基本要件情報の一例である。
【００２５】
本実施形態では、図２に示されるように、設計対象の建物の室の要件に関する情報を含む室要件テーブルＲＣと設計対象の建物の形状を表すオブジェクトである基本オブジェクトＰＭとを分けて管理する。室要件テーブルＲＣの各情報は、設計対象の建物の各室の要求性能を表す情報である。室要件テーブルＲＣと基本オブジェクトＰＭとを分けて管理することにより、設計対象の建物の各室の要求性能に応じて、適切かつ自動的に壁を生成することが可能となる。
【００２６】
なお、室要件テーブルＲＣの各情報には、建築主の要望に応じて定まる情報も含まれている。従って、室要件テーブルＲＣの各情報が基本オブジェクトＰＭへ反映されると、設計対象のＢＩＭモデルＭは、建築主の要望が反映された状態となる。
【００２７】
以下、本実施形態について具体的に説明する。
【００２８】
受付部１０は、ユーザから入力された情報を受け付ける。受付部１０は、例えばキーボード、マウス、又は外部装置からの入力を受け付ける入出力装置等によって実現される。本実施形態において、ユーザは、設計支援の指示信号を、受付部１０を介してコンピュータ２０へ入力する。
【００２９】
コンピュータ２０は、ＣＰＵ（Central Processing Unit）、各処理ルーチンを実現するためのプログラム等を記憶したＲＯＭ（Read Only Memory）、データを一時的に記憶するＲＡＭ（Random Access Memory）、記憶手段としてのメモリ、ネットワークインタフェース等を含んで構成されている。コンピュータ２０は、図１に示されるように、機能的には、基本要件情報記憶部２２と、オブジェクト記憶部２４と、ＢＩＭモデル記憶部２５と、情報取得部２６と、壁生成部２８とを備えている。
【００３０】
基本要件情報記憶部２２には、設計対象の建物の室の要件を表す基本要件情報としての室要件テーブルＲＣが格納される。室要件テーブルＲＣには、各室の要求性能に関する情報が格納されている。
【００３１】
例えば、室要件テーブルＲＣには、各室の遮音に関する情報、各室の水使用に関する情報、各室の可動間仕切りに関する情報、各室の放射線遮蔽に関する情報、及び各室の電磁波遮蔽に関する情報等が含まれている。また、室要件テーブルＲＣには、防火区画に関する情報、外壁の種別に関する情報、吹抜に面する室に関する情報、及びトイレ内の間仕切り壁に関する情報等が含まれていてもよい。
【００３２】
図３に、室要件テーブルＲＣの一例を示す。図３に示される室要件テーブルＲＣには、各室の遮音に関する情報「遮音設定」と、各室の水使用に関する情報「水使用室」と、各室の可動間仕切りに関する情報「可動間仕切」と、各室の放射線遮蔽に関する情報「放射線遮蔽」と、各室の電磁波遮蔽に関する情報「電磁波遮蔽」とが含まれている。これらの情報を用いて各室の壁が生成される。
【００３３】
オブジェクト記憶部２４は、設計対象の建物の形状を表すオブジェクトである基本オブジェクトＰＭが格納されている。
【００３４】
ＢＩＭモデル記憶部２５には、設計対象の建物を表す複数の異なるＢＩＭモデルが格納されている。
【００３５】
建物の設計作業は、複数のＢＩＭモデルによって進められることが多い。複数のＢＩＭモデルとしては、例えば、建物の意匠に関する情報が格納される意匠モデル、建物の設備に関する情報が格納される設備モデル、建物の構造に関する情報が格納される構造モデル、及び建物の防火区画に関する情報が格納されるゾーンモデル等が挙げられる。
【００３６】
例えば、構造設計者は、設計対象の建物の構造を考慮して、構造モデルを作成する。構造モデルは、構造に関する建物の形状を表すオブジェクトとそのオブジェクトに付与された属性情報とを含んで構成される。
【００３７】
複数のＢＩＭモデルによって設計作業が進められる場合、壁の生成に必要な情報は、各ＢＩＭモデルに分散されて格納される。そのため、本実施形態では、建物の室の要件を表す室要件テーブルＲＣと、建物の形状を表す基本オブジェクトＰＭと、複数のＢＩＭモデルに格納された各情報とに基づいて、設計対象の建物の壁の各々を自動的に生成する。
【００３８】
情報取得部２６は、基本要件情報記憶部２２に格納された室要件テーブルＲＣを取得する。また、情報取得部２６は、オブジェクト記憶部２４に格納された基本オブジェクトＰＭを取得する。また、情報取得部２６は、複数の異なるＢＩＭモデルに格納された各情報を取得する。
【００３９】
壁生成部２８は、情報取得部２６によって取得された、室要件テーブルＲＣ、基本オブジェクトＰＭ、及び複数のＢＩＭモデルから取得した各情報に基づいて、設計対象の建物内の壁の各々を生成する。
【００４０】
図４に、壁の生成を説明するための説明図を示す。図４には、ＬＧＳ部材で構成される壁を生成するための方法が示されている。
【００４１】
［外壁種別に応じた壁の生成］
【００４２】
まず、外壁種別に応じた壁の生成について説明する。
【００４３】
壁生成部２８は、壁を生成する際に、生成対象の壁が外壁の裏側に位置する壁である場合には、外壁の種別に応じて壁を生成する。図４のステップＡ１からステップＡ７において、外壁の裏側に位置する壁の具体的な生成方法が示されている。
【００４４】
具体的には、まず、壁生成部２８は、図４に示されるステップＡ１において、壁下地の必要な範囲を設定する。例えば、壁生成部２８は、壁下地が必要な範囲として外部に面する壁の裏面の壁を設定する。
【００４５】
次に、壁生成部２８は、ステップＡ２において、外部に面する壁の特定を開始する。具体的には、壁生成部２８は、ステップＡ３において、建物の形状を表す基本オブジェクトＰＭのうち、外部に面する壁である外壁を特定する。そして、壁生成部２８は、ステップＡ４及びステップＡ５において、例えば、外壁種別に関する情報が格納された外壁モデルから情報を読み出し、外壁の種別を特定する。
【００４６】
壁生成部２８は、外壁の種別がＰＣａ、ＥＣＰ、及びＡＬＣの何れかである場合には、ステップＡ６へ移行し、壁下地仕様として「断熱材t=25 LGS 50 ＠303の上 GB-R 12.5」を決定する。また、壁生成部２８は、外壁の種別がＲＣである場合には、ステップＡ７へ移行し、壁下地仕様として「断熱材t=25 GL工法 GB-R 12.5」を決定する。「GB-R」はボードの種類を表し、「＠303」は骨組みの間隔を表し、「t=25」「12.5」はボード等の厚さを表す。
【００４７】
［建物の防火区画と室の遮音性能とに応じた壁の生成］
【００４８】
次に、建物の防火区画と室の遮音性能とに応じた壁の生成について説明する。
【００４９】
壁生成部２８は、任意の室の壁を生成する際に、生成対象の壁が防火区画に対応する場合には、建物内の任意の室の床面から任意の室の上階のスラブ下又は梁下までの壁を生成する。また、壁生成部２８は、壁を生成する際に、生成対象の壁が、遮音必要室を形成する場合には、建物内の任意の室の床面から任意の室の上階のスラブ下又は梁下までの壁を生成する。
【００５０】
図４のステップＢ１からステップＢ９において、防火区画に関連する壁又は遮音必要室に関連する壁の具体的な生成方法が示されている。
【００５１】
具体的には、まず、壁生成部２８は、図４に示されるステップＢ１において、壁を構成するＬＧＳ壁の骨組みのサイズに関する仕様の決定を開始する。
【００５２】
壁生成部２８は、ステップＢ２及びステップＢ３において、生成対象の壁が防火区画（１時間耐火）に面する壁であるか否かを判定する。生成対象の壁が防火区画に面する壁である場合には、ステップＢ２を経由してステップＢ５へ移行する。一方、生成対象の壁が防火区画に面する壁でない場合には、ステップＢ３を経由してステップＢ４へ移行する。
【００５３】
壁生成部２８は、ステップＢ４において、室要件テーブルＲＣに格納されている各室の遮音に関する情報に基づいて、生成対象の壁によって形成される室の遮音性能を判定する。なお、ここでは、室の遮音性能を表す情報としてＮＩ＝（０，１，２）を用いる。ＮＩ＝０である場合には、遮音が不要であることを表す。また、ＮＩ＝１である場合には、壁と天井との複合遮音が必要であることを表す。また、ＮＩ＝２である場合には、壁のみによって遮音が必要であることを表す。
【００５４】
室の遮音性能を表す情報ＮＩ＝０又はＮＩ＝１である場合には、ステップＢ６へ移行する。一方、室の遮音性能を表す情報ＮＩ＝２である場合には、ステップＢ５へ移行する。
【００５５】
壁生成部２８は、ステップＢ５において、上階のスラブ下までの壁を生成するように設定する。そして、壁生成部２８は、ステップＢ７において、構造モデルＳＭに格納されたスラブ下又は梁下までの高さに関する情報を抽出する。
【００５６】
また、壁生成部２８は、ステップＢ６において、室の天上までの壁を生成するように設定する。そして、壁生成部２８は、ステップＢ８において、基本オブジェクトＰＭに格納された、天井までの高さに関する情報ＣＨを抽出する。
【００５７】
そして、壁生成部２８は、ステップＢ９において、ステップＢ７で抽出されたスラブ下又は梁下までの高さ、若しくは、ステップＢ８で抽出された天井までの高さＣＨを、ＬＧＳ壁の高さｈとする。また、壁生成部２８は、ＬＧＳ壁の高さｈに応じて、以下の条件式（Ａ）に従って、ＬＧＳ壁の骨組みのサイズに関する仕様情報ＬＧＳ（ｘ）を決定する。
【００５８】
ｈ≦２．７ｍ→ＬＧＳ ５０×４５×０．８（５０形）
２．７ｍ＜ｈ≦４．０ｍ→ＬＧＳ ６０×４５×０．８（６０形）
４．０ｍ＜ｈ≦４．５ｍ→ＬＧＳ ９０×４５×０．８（９０形）
４．５ｍ＜ｈ≦５．０ｍ→ＬＧＳ １００×４５×０．８（１００形）
（Ａ）
【００５９】
そして、壁生成部２８は、ＬＧＳ壁の骨組みのサイズに関する仕様情報ＬＧＳ（ｘ）を出力する。ＬＧＳ（ｘ）のうちのｘは、ＬＧＳ壁のサイズを表す識別情報であり、ｘ＝５０である場合には、５０形のＬＧＳであることを示す。
【００６０】
次に、図５を参照して、図４に示されるステップＢ１〜Ｂ９の詳細な処理を説明する。壁生成部２８は、図５に示されるように、ＬＧＳ壁を生成するための関数ｌｇｓ１，ｌｇｓ２を用いて、壁を生成する。なお、図５では、説明を簡単にするため、各室の遮音に関する情報は、遮音必要室であるか又は遮音不要室であるかの情報であるとする。
【００６１】
壁を生成するための関数ｌｇｓ１は、以下の式（１）によって表現される。関数ｌｇｓ１は、対象の室で生成されるＬＧＳ壁を、上階のスラブ下又は梁下まで到達させるか否かを決定するための関数である。
【００６２】
ｌｇｓ１＝ｆＬＧＳ１（ＺＭ，ＲＣ）
（１）
【００６３】
上記式（１）におけるＺＭは、防火区画に関する情報が含まれているゾーンモデルを表す。また、上記式（１）におけるＲＣは、室要件テーブルＲＣを表す。
【００６４】
図５に示されるように、壁生成部２８は、複数の室の各々について、ＢＩＭモデルであるゾーンモデルＺＭに格納された防火区画に関する情報と、室要件テーブルＲＣに格納された情報（遮音必要室であるか又は遮音不要室であるかに関する情報）とに基づいて、以下の式（２）に従って、当該室の壁を生成するための関数ｌｇｓ１を計算する。
【００６５】
ｌｇｓ１
＝ｆＬＧＳ１（１，０）＝１
＝ｆＬＧＳ１（０，０）＝０
＝ｆＬＧＳ１（０，１）＝１
＝ｆＬＧＳ１（１，１）＝１
（２）
【００６６】
なお、上記式（２）において、ｆＬＧＳ１（１，０）は、対象の室が防火区画に面しており、対象の室は遮音不要室であることを表す。また、ｆＬＧＳ１（０，０）は、対象の室が防火区画に面しておらず、対象の室は遮音不要室であることを表す。また、ｆＬＧＳ１（０，１）は、対象の室が防火区画に面しておらず、対象の室は遮音必要室であることを表す。また、ｆＬＧＳ１（１，１）は、対象の室が防火区画に面しており、対象の室は遮音必要室であることを表す。
【００６７】
このため、上記式（１）及び上記式（２）を用いることにより、対象の室が防火区画に面しているか否か、及び対象の室が遮音必要室であるか遮音不要室であるかに応じて、壁の仕様を決定することができる。
【００６８】
また、壁を生成するための関数ｌｇｓ２は、以下の式（３）によって表現される。関数ｌｇｓ２は、ＬＧＳ壁の高さの仕様を決定するための関数である。
【００６９】
ｌｇｓ２＝ｆＬＧＳ１（ｌｇｓ１，（ＰＭ，ＳＭ））
（３）
【００７０】
上記式（３）におけるＰＭは、設計対象の建物を表す基本オブジェクトＰＭを表す。また、上記式（３）におけるＳＭは、構造モデルを表す。
【００７１】
図５に示されるように、壁生成部２８は、複数の室の各々について、基本オブジェクトＰＭに格納された対象の室の天井までの高さＣＨと、構造モデルＳＭに格納された対象の室の高さｈ１，ｈ２と、関数ｌｇｓ１の計算結果とに基づいて、以下の式（４）に従って、当該室に関係する壁を生成するための関数ｌｇｓ２が計算される。
【００７２】
ｌｇｓ２
＝ｆＬＧＳ２（１，ＳＭ）＝ｍａｘ（ｈ１，ｈ２）
＝ｆＬＧＳ２（０，ＰＭ）＝ＣＨ＋１５０
（４）
【００７３】
上記式（４）に示されるように、ｌｇｓ２は、ｌｇｓ１の値に応じて計算式が異なる。      
【００７４】
具体的には、ｌｇｓ１＝１の場合、壁生成部２８は、生成対象の壁の位置が梁下及びスラブ下の何れであるかに応じて、以下の式（５）に従って、生成対象のＬＧＳ壁の高さを決定する。
【００７５】
ｌｇｓ２
＝ｆＬＧＳ２（１，ＳＭ）＝ｍａｘ（ｈ１，ｈ２）
（５）
【００７６】
一方、ｌｇｓ１＝０の場合、壁生成部２８は、対象の室の天井高さＣＨに応じて、以下の式（６）に従って、生成対象のＬＧＳ壁の高さを決定する。
【００７７】
ｌｇｓ２
＝ｆＬＧＳ２（０，ＰＭ）＝ＣＨ＋１５０
（６）
【００７８】
そして、壁生成部２８は、関数ｌｇｓ２から出力される値に応じて、上記の条件式（Ａ）に従って、ＬＧＳ壁の骨組みのサイズに関する仕様（５０形、６５形、９０形、及び１００形）を決定する。
【００７９】
［水使用室に応じた壁の生成］
【００８０】
次に、室内での水使用に応じた壁の生成について説明する。
【００８１】
壁生成部２８は、任意の室の壁を生成する際に、当該室が水使用室であるか否かに応じて、ＬＧＳ壁の素材の種別を決定する。図４のステップＣ１からステップＣ４において、水使用室であるか否かに応じた壁の具体的な生成方法が示されている。
【００８２】
具体的には、まず、壁生成部２８は、図４に示されるステップＣ１において、ＬＧＳ壁の骨組みの素材の判定を開始する。
【００８３】
壁生成部２８は、ステップＣ２において、任意の室の壁を生成する際に、当該室が水使用室であるか否かを判定する。なお、本実施形態では、水使用室を表す情報としてＨｍ＝（０，１）を用いる。Ｈｍ＝０である場合には、水使用室ではないことを表す。また、Ｈｍ＝１である場合には、水使用室であることを表す。
【００８４】
水使用室を表す情報Ｈｍ＝０である場合には、ステップＣ３へ移行する。そして、壁生成部２８は、ステップＣ３において、ＬＧＳ壁の素材を鋼製とする。
【００８５】
一方、水使用室を表す情報Ｈｍ＝１である場合には、ステップＣ４へ移行する。そして、壁生成部２８は、ステップＣ４において、ＬＧＳ壁の素材をＳＵＳ製（ステンレス製）とする。
【００８６】
そして、壁生成部２８は、ＬＧＳ壁の骨組みの素材を表す情報ＬＧＳ（ｙ）を出力する。ＬＧＳ（ｙ）のうちのｙは、ＬＧＳ壁の骨組みの素材を表す識別情報であり、ｙ＝０である場合には、骨組みの素材が鋼製であることを表す。また、ｙ＝１である場合には、骨組みの素材がＳＵＳ製であることを表す。
【００８７】
［吹抜との隣接に応じた壁の生成］
【００８８】
次に、吹抜との隣接に応じた壁の生成について説明する。
【００８９】
壁生成部２８は、任意の室の壁を生成する際に、生成対象の壁によって形成される室が吹抜に隣接するか否かに応じて、ＬＧＳ壁の仕様を決定する。図６のステップＤ１及びステップＤ２に、吹抜との隣接に応じた壁の具体的な生成方法が示されている。
【００９０】
壁生成部２８は、ステップＤ１において、生成対象の壁によって形成される室が吹抜と隣接しない場合には、図６に示される壁生成テーブルＴ１を用いて壁を生成する。
【００９１】
壁生成テーブルＴ１における、ゾーンモデルＺＭから読み込まれた防火区画に関する情報である「防火区画」と、室要件テーブルＲＣから読み込まれた各室の遮音に関する情報である「遮音設定」とに関しては、ステップＢ１〜Ｂ９において既に考慮されている。
【００９２】
また、壁生成テーブルＴ１における、室要件テーブルＲＣから読み込まれた各室の水使用に関する情報である「水使用室」に関しては、ステップＣ１〜Ｃ４において既に考慮されている。
【００９３】
そのため、壁生成部２８は、壁生成テーブルＴ１における、各室の可動間仕切りに関する情報を表す「可動間仕切り」、各室の放射線遮蔽に関する情報を表す「放射線遮蔽」、各室の電磁波遮蔽に関する情報を表す「電磁波遮蔽」を、室要件テーブルＲＣから読み出す。そして、壁生成部２８は、各室の壁を生成する際に、室要件テーブルＲＣから読み出された、「可動間仕切り」、「放射線遮蔽」、及び「電磁波遮蔽」に基づいて、各室の壁の仕様を決定する。
【００９４】
具体的には、壁生成部２８は、ステップＢ９で出力したＬＧＳ壁の骨組みのサイズを表す情報ＬＧＳ（ｘ）と、ステップＣ３又はステップＣ４で出力したＬＧＳ壁の骨組みの素材を表す情報ＬＧＳ（ｙ）とに基づいて、ＬＧＳ壁の仕様情報ＬＧＳ（ｘ，ｙ）を設定する。ＬＧＳ壁の仕様情報ＬＧＳ（ｘ，ｙ）には、識別情報ｘと識別情報ｙとが含まれており、これらの情報を参照することにより、ＬＧＳ壁の骨組みに関する仕様が決定される。
【００９５】
次に、壁生成部２８は、任意の室の壁を生成する際に、ＬＧＳ壁の仕様情報ＬＧＳ（ｘ，ｙ）と、室要件テーブルＲＣから読み出された「可動間仕切り」、「放射線遮蔽」、及び「電磁波遮蔽」とに基づいて、当該壁の仕様を決定する。
【００９６】
例えば、壁生成テーブルＴ１の最下段には、「防火区画：０」、「遮音設定：０」、「」、「水使用室：０」、「可動間仕切：０」、「放射線遮蔽：０」、及び「電磁波遮蔽：１」である室の壁の仕様が示されており、その壁の仕様は「LGS(x,y)@450 GB-R 12.5+12.5 ケイ素鋼板 t=0.5 10枚張り」となっている。ここで、「@450」とは、450mmピッチに、ＬＧＳ壁の骨組みが立てられることを表す。また、「GB-R 12.5+12.5」とは、厚さが12.5mmである石膏ボードが２枚重ねて貼られることを表す。また、「ケイ素鋼板 t=0.5 10枚張り」とは、厚さ0.5mmのケイ素鋼板が10枚張られることを表す。なお、この場合の想定室は、ＭＲＩ室やＭＲＩ手術室等である。
【００９７】
このように、各室の要求性能に関する情報が格納された室要件テーブルＲＣから各種情報を読み出し、各種情報を用いて室の壁を生成することにより、適切かつ自動的に壁を生成することができる。
【００９８】
壁生成部２８は、ステップＤ２において、生成対象の壁によって形成される室が吹抜と隣接する場合には、図６に示される壁生成テーブルＴ２を用いて壁を生成する。
【００９９】
壁生成テーブルＴ２における、ゾーンモデルＺＭから読み込まれた防火区画に関する情報である「防火区画」と、室要件テーブルＲＣから読み込まれた各室の遮音に関する情報である「遮音設定」とに関しては、ステップＢ１〜Ｂ９において既に考慮されている。
【０１００】
そのため、壁生成部２８は、ステップＢ９で出力したＬＧＳ壁の骨組みのサイズを表す情報ＬＧＳ（ｘ）と、ステップＣ３又はステップＣ４で出力したＬＧＳ壁の骨組みの素材を表す情報ＬＧＳ（ｙ）とに基づいて、ＬＧＳ壁の仕様情報ＬＧＳ（ｘ，ｙ）を設定する。次に、壁生成部２８は、ＬＧＳ壁の仕様情報ＬＧＳ（ｘ，ｙ）に応じた壁の仕様を決定する。
【０１０１】
例えば、壁生成テーブルＴ２の最上段には、「防火区画：１」及び「遮音設定：０」である室の壁の仕様が示されており、その壁の仕様は「LGS(x,y)@450 GB-F 21+21 片面張り」となっている。なお、この場合の想定室は、エレベータシャフト等である。
【０１０２】
［仕上げの必要な室内の柱に応じた壁の生成］
【０１０３】
壁生成部２８は、任意の室の壁を生成する際に、仕上げの必要な室内の柱の存在に応じて壁を生成する。例えば、壁生成部２８は、図６のステップＥ１において、仕上げの必要な柱を覆うように壁を生成する。
【０１０４】
なお、壁生成部２８は、任意の室の壁が生成される毎に、生成された壁を基本オブジェクトＰＭへ反映する。これにより、設計対象の建物の基本オブジェクトＰＭに壁が含まれるようになり、各室の壁の設計作業が適切に支援される。
【０１０５】
また、壁生成部２８は、生成された壁と基本オブジェクトＰＭとを含むＢＩＭモデルを結果として出力する。
【０１０６】
表示部３０は、壁生成部２８から出力されたＢＩＭモデルを結果として表示する。表示部３０は例えばディスプレイによって実現される。
【０１０７】
設計支援装置１００のユーザである建築設計者は、壁のオブジェクトを含むＢＩＭモデルを確認する。そして、建築設計者は、例えば、更に詳細な箇所等に関しての設計作業を進める。
【０１０８】
＜設計支援装置１００の作用＞
【０１０９】
次に、設計支援装置１００の作用を説明する。設計支援装置１００の受付部１０が、設計対象の建物の各室の室要件テーブルＲＣの入力を受け付けると、情報取得部２６は室要件テーブルＲＣを基本要件情報記憶部２２へ格納する。また、設計支援装置１００の受付部１０が、設計対象の建物の形状を表す基本オブジェクトＰＭの入力を受け付けると、情報取得部２６は基本オブジェクトＰＭをオブジェクト記憶部２４へ格納する。また、設計支援装置１００の受付部１０が、複数のＢＩＭモデル（例えば、構造モデルＳＭ及びゾーンモデルＺＭ等）の入力を受け付けると、情報取得部２６は複数のＢＩＭモデルをＢＩＭモデル記憶部２５へ格納する。そして、設計支援装置１００は、壁生成の指示信号を受け付けると、図７に示す設計支援処理ルーチンを実行する。
【０１１０】
＜設計支援処理ルーチン＞
【０１１１】
ステップＳ１００において、情報取得部２６は、基本要件情報記憶部２２に格納された室要件テーブルＲＣを取得する。
【０１１２】
ステップＳ１０２において、情報取得部２６は、オブジェクト記憶部２４に格納された基本オブジェクトＰＭを取得する。
【０１１３】
ステップＳ１０４において、情報取得部２６は、複数の異なるＢＩＭモデルに格納された各情報を取得する。
【０１１４】
ステップＳ１０６において、壁生成部２８は、設計対象の建物のうちの１つの室を設定する。
【０１１５】
ステップＳ１０８において、壁生成部２８は、上記ステップＳ１００で取得された室要件テーブルＲＣと、上記ステップＳ１０２で取得された基本オブジェクトＰＭと、上記ステップＳ１０４で取得された複数のＢＩＭモデルの各情報とに基づいて、上記ステップＳ１０６で設定された室内の壁を生成する。具体的には、壁生成部２８は、図４に示されるステップＡ１〜Ａ７に従って、外壁の裏側に位置する壁を生成する。また、壁生成部２８は、図４に示されるステップＢ１〜Ｂ９に従って、ＬＧＳ壁のサイズを決定する。また、壁生成部２８は、図４に示されるステップＣ１〜Ｃ４に従って、ＬＧＳ壁の骨組みの素材を決定する。そして、壁生成部２８は、図６に示されるステップＤ１〜Ｄ２及びＥ１に従って、壁を生成する。
【０１１６】
ステップＳ１１０において、壁生成部２８は、上記ステップＳ１０８で生成された壁を、上記ステップＳ１０２で取得された基本オブジェクトＰＭへ反映する。
【０１１７】
ステップＳ１１２において、壁生成部２８は、設計対象の建物に含まれる全ての室について、上記ステップＳ１０６〜ステップＳ１１０の処理を実行したか否かを判定する。設計対象の建物に含まれる全ての室について、上記ステップＳ１０６〜ステップＳ１１０の処理を実行した場合には、ステップＳ１１４へ進む。一方、上記ステップＳ１０６〜ステップＳ１１０の処理を実行していない室が存在する場合には、ステップＳ１０６へ戻る。
【０１１８】
ステップＳ１１４において、壁生成部２８は、上記ステップＳ１１０で得られた、複数の壁と基本オブジェクトＰＭとを含むＢＩＭモデルを結果として出力して、設計支援処理ルーチンを終了する。
【０１１９】
表示部３０は、壁生成部２８から出力されたＢＩＭモデルを表示する。設計支援装置１００のユーザである建築設計者は、設計対象のＢＩＭモデルを確認し、各室の壁を確認する。そして、建築設計者は、更に詳細な箇所等に関しての設計作業を進める。
【０１２０】
以上詳細に説明したように、本実施形態の設計支援装置１００は、室要件シートに基づいて、設計対象の建物内の壁の各々を生成する。これにより、設計対象の建物の各室の要求性能を満たす壁を自動的に生成することができる。
【０１２１】
特に、従来では、オブジェクトと属性情報とを含んで構成されていた建物のＢＩＭモデルから、各室の要求性能を表す室要件シートを抽出し、その室要件シートを用いて壁を生成することにより、各室の要求性能を満たした壁を適切かつ自動的に生成することができる。
【０１２２】
また、本実施形態の設計支援装置１００によれば、建築設計者による壁の仕様決定の作業が低減されるため、効率的に設計作業を行うことができる。
【０１２３】
また、本実施形態の設計支援装置１００によれば、複数の異なるＢＩＭモデルから取得された各情報と室要件シートとに基づき壁を生成することにより、適切かつ自動的に壁を生成することができる。例えば、室要件シートには含まれていない、防火区画に関する情報及び室の高さに関する情報を考慮して、適切に壁を生成することができる。
【０１２４】
なお、本発明は、上述した実施の形態に限定されるものではなく、この発明の要旨を逸脱しない範囲内で様々な変形や応用が可能である。
【０１２５】
例えば、上記実施形態では、各室の遮音に関する情報、各室の水使用に関する情報、各室の放射線遮蔽に関する情報、各室の電磁波遮蔽に関する情報、及び各室の可動間仕切りに関する情報が室要件テーブルに含まれている場合を例に説明したが、これに限定されるものではない。例えば、これよりも多い又は少ない情報が室要件テーブルに格納されていてもよい。具体的には、室要件テーブルに、防火区画に関する情報、外壁の種別に関する情報、吹抜に面する室に関する情報、及びトイレ内の間仕切り壁に関する情報等が更に含まれていてもよい。
【０１２６】
また、本実施形態では、所定の条件に基づいて壁を一義的に生成する場合を例に説明すしたが、これに限定されるものではない。例えば、生成対象の壁について複数の候補が存在する場合には、複数の壁の候補の各々を出力するようにしてもよい。この場合には、ユーザである建築設計者は、複数の壁の候補から、特定の壁を選択するようにしてもよい。また、建築設計者が選択した壁の仕様に関するデータを収集し、収集されたデータに応じて、次回の壁設計の際に壁の仕様を推薦（レコメンド）するようにしてもよい。また、建築設計者が選択した壁の仕様に関するデータを収集し、収集されたデータを学習用データとして設定して、設計対象の室の室要件テーブルから壁の仕様を出力する学習済みモデルを生成するようにしてもよい。この場合には、学習済みモデルからは、複数の壁の候補についての確率が出力され、ユーザである設計者は、例えば、確率が最も高い壁の仕様を選択する。
【０１２７】
また、上記ではプログラムが記憶部（図示省略）に予め記憶（インストール）されている態様を説明したが、プログラムは、ＣＤ−ＲＯＭ、ＤＶＤ−ＲＯＭ及びマイクロＳＤカード等の記録媒体の何れかに記録されている形態で提供することも可能である。
【符号の説明】
【０１２８】
１０   受付部
２０   コンピュータ
２２   基本要件情報記憶部
２４   オブジェクト記憶部
２５   モデル記憶部
２６   情報取得部
２８   壁生成部
３０   表示部
１００ 設計支援装置
【図１】
2020004278.tif 000003
【図２】
2020004278.tif 000004
【図３】
2020004278.tif 000005
【図４】
2020004278.tif 000006
【図５】
2020004278.tif 000007
【図６】
2020004278.tif 000008
【図７】
2020004278.tif 000009